(57)【要約】【課題】バックライトアセンブリ及びこれを有する液晶表示装置を提供する。【解決手段】バックライトアセンブリは、底部及び底部から延長され溝を形成する側部を含む収納容器と、底部に密着される反射部及び反射部から延長され溝に介在される固定部を含む反射部材と、を含む。また、バックライトアセンブリは反射部材上部に配置された光源と、光源の上部に配置される拡散板と、を含む。収納容器の側部は、底部から垂直に延長された側壁、及び側壁から収納容器の内側に延長され溝を形成する支持部を含む。このようなバックライトアセンブリによると、反射部材の組立工程を単純化させることができ、バックライトアセンブリのサイズを減少させることができる。【選択図】    図１
2006146126.tif 000002
【特許請求の範囲】
【請求項１】
底部及び前記底部から延長され溝を形成する側部を含む収納容器と、
前記底部に密着され反射部及び前記反射部から延長され前記溝に挿入される固定部を含む反射部材と、
前記反射部材上部に配置される光源と、
前記光源の上部に配置される拡散反と、
を含むバックライトアセンブリ。
【請求項２】
前記側部は、
前記底部から垂直に延長された側壁と、
前記側壁から前記収納容器の内側に延長され前記溝を形成する支持部と、を含むことを特徴とする請求項１記載のバックライトアセンブリ。
【請求項３】
前記固定部は、
前記反射部から前記支持部方向に延長される第１固定面と、
前記第１固定面から延長され前記支持部に密着される第２固定面と、
前記第２固定面から前記底部まで延長され、前記側壁と密着される第３固定面と、を含むことを特徴とする請求項２記載のバックライトアセンブリ。
【請求項４】
前記第１固定面は、前記反射部と成す内角が鈍角になるように斜めの方向に形成されることを特徴とする請求項３記載のバックライトアセンブリ。
【請求項５】
前記反射部材には前記反射部と前記第１固定面とが接する境界に第１グルーブが形成されることを特徴とする請求項３記載のバックライトアセンブリ。
【請求項６】
前記反射部材には、前記第１固定面と前記第２固定面とが接する境界に第２グルーブが形成されることを特徴とする請求項３記載のバックライトアセンブリ。  
【請求項７】
前記反射部材には前記第２固定面と前記第３固定面とが接する境界に第３グルーブが形成されることを特徴とする請求項３記載のバックライトアセンブリ。
【請求項８】
前記拡散板は、前記支持部によって支持されることを特徴とする請求項２記載のバックライトアセンブリ。
【請求項９】
前記光源は、複数のランプからなることを特徴とする請求項１記載のバックライトアセンブリ。
【請求項１０】
前記底部に結合され前記ランプを固定するランプ固定部材をさらに含むことを特徴とする請求項９記載のバックライトアセンブリ。
【請求項１１】
前記ランプ固定部材は、
前記ランプが挿入されるランプ固定部と、
前記拡散板を支持する拡散板支持部と、
前記底部と結合される結合部と、を含むことを特徴とする請求項１０記載のバックライトアセンブリ。
【請求項１２】
前記反射部材には前記結合部が貫通される貫通孔が形成され、
前記底部には前記結合部が結合される結合孔が形成されることを特徴とする請求項１１記載のバックライトアセンブリ。
【請求項１３】
前記ランプの末端部に対応されるように配置され、前記拡散板を支持するサイドモールドをさらに含むことを特徴とする請求項９記載のバックライトアセンブリ。
【請求項１４】
前記サイドモールドは、前記拡散板の実装位置をガイドするための突出部をさらに含むことを特徴とする請求項１３記載のバックライトアセンブリ。
【請求項１５】
前記拡散板の上部に配置される光学シートと、
前記拡散板及び前記光学シートの端部位を固定するミドルモールドと、
前記光源の発光のための電源を供給するインバーターと、
をさらに含むことを特徴とする請求項１記載のバックライトアセンブリ。
【請求項１６】
底部及び前記底部から延長され溝を形成する側部を含む収納容器と、前記底部に密着される反射部及び前記反射部から延長され前記溝に挿入される固定部を含む反射部材と、前記反射部材上部に配置される光源とを含むバックライトアセンブリと、
前記バックライトアセンブリから供給される光を用いて画像を表示する液晶表示パネルと、
を含むことを特徴とする液晶表示装置。
【請求項１７】
前記側部は、
前記底部から垂直に延長された側壁と、
前記側壁から前記収納容器の内側に延長され前記溝を形成する支持部と、を含むことを特徴とする請求項１６記載の液晶表示装置。
【請求項１８】
前記固定部は、
前記反射部から前記支持部方向に延長される第１固定面と、
前記第１固定面から延長され前記支持部に密着される第２固定面と、
前記第２固定面から前記底部まで延長され、前記側壁と密着される第３固定面と、を含むことを特徴とする請求項１７記載の液晶表示装置。  
【請求項１９】
前記第１固定面は、前記反射部と成す内角が鈍角になるように斜めの方向に形成されることを特徴とする請求項１８記載の液晶表示装置。
【請求項２０】
前記反射部材は、
前記反射部と前記第１固定面とが接する境界に形成された第１グルーブと、
前記第１固定面と前記第２固定面とが接する境界に形成された第２グルーブと、
前記第２固定面と前記第３固定面とが接する境界に形成された第３グルーブと、
を含むことを特徴とする請求項１８記載の液晶表示装置。
【請求項２１】
前記バックライトアセンブリは、
前記ランプの上部に配置され、前記支持部によって支持される拡散板をさらに含むことを特徴とする請求項１７記載の液晶表示装置。
【請求項２２】
前記光源は、複数のランプからなることを特徴とする請求項２１記載の液晶表示装置。  
【請求項２３】
前記バックライトアセンブリは、
前記ランプを固定するランプ固定部と、前記拡散板を支持する拡散板支持部と、前記底部と結合される結合部を含むランプ固定部材と、をさらに含むことを特徴とする請求項２２記載の液晶表示装置。
【請求項２４】
前記反射部材には、前記結合部が貫通される貫通孔が形成され、
前記底部には前記結合部が結合される結合孔が形成されることを特徴とする請求項２３記載の液晶表示装置。
【発明の詳細な説明】
【技術分野】
【０００１】
本発明はバックライトアセンブリ及びこれを有する液晶表示装置に関し、さらに詳細には画像を表示するための光を提供するバックライトアセンブリ及びこれを有する液晶表示装置に関する。
【背景技術】
【０００２】
一般に、液晶表示装置は、液晶を用いて画像を表示する平板表示装置の一つとして、他の表示装置に比べて薄くて軽く、低駆動電圧及び低消費電力を有するという長所があって、産業全般にかけて幅広く使用されている。
このような液晶表示装置は、画像を表示するための液晶表示パネルが自発的に発光することができないので、液晶表示パネルに光を供給するためのバックライトアセンブリを必要とする。
【０００３】
バックライトアセンブリは光を発生する光源の位置によって、大きくエッジ型と直下型とで分類される。エッジ型は、透明導光板の側面に光源を位置させ、導光板の一面を用いて光を多重反射させることで得た光を液晶表示パネルに出射する方式であり、直下型は、光源を液晶表示パネルの直下部に位置させ光源の前面には拡散板を配置し、光源の背面には反射板を配置して光源から発生された光を反射、拡散させる方式である。従って、エッジ型は比較的大きさが小さい液晶表示装置に使用され薄型化に有利な反面、直下型は高輝度が要求される大型の液晶表示装置に主に使用される。
【０００４】
しかし、直下型バックライトアセンブリの場合、反射板を収納容器に固定するために両面テープを使用するので、組立工程が複雑となり、反射板の平坦度が低下するという問題点が発生する。また、反射板の一定の固定構造のために収納容器の大きさを減少させることが難しくなる問題点が発生する。
【発明の開示】
【発明が解決しようとする課題】
【０００５】
従って、本発明はこのような従来の問題点を勘案したもので、本発明の目的は反射板の組立工程を単純化させ、全体サイズを減少させることができるバックライトアセンブリを提供することにある。
本発明の他の目的は、前述したバックライトアセンブリを有する液晶表示装置を提供することにある。
【課題を解決するための手段】
【０００６】
前述した本発明の目的を達成するためのバックライトアセンブリは、収納容器、反射部材、光源及び拡散板を含む。前記収納容器は、底部及び前記底部から延長され溝を形成する側部を含む。前記反射部材は、前記底部に密着され反射部及び前記反射部から延長され前記溝に挿入される固定部を含む。前記光源は前記反射部材の上部に配置される。前記拡散板は前記ランプの上部に配置される。
前記側部は、前記底部から垂直に延長された側壁、及び前記側壁から前記収納容器の内側に延長され前記溝を形成する支持部を含む。
前記固定部は、前記反射部から前記支持部方向に延長される第１固定面、前記第１固定面から延長され前記支持部に密着される第２固定面、及び前記第２固定面から前記底部まで延長され、前記側壁と密着される第３固定面を含む。ここで、前記第１固定面は、前記反射部と成す内角が鈍角になるように斜めの方向に形成される。
【０００７】
前記反射部材は、前記反射部と前記第１固定面とが接する境界に形成された第１グルーブ、前記第１固定面と前記第２固定面とが接する境界に形成された第２グルーブ、及び前記第２固定面と第３固定面とが接する境界に形成された第３グルーブをさらに含む。
本発明の目的を達成するための液晶表示装置は、バックライトアセンブリ及び液晶表示パネルを含む。前記バックライトアセンブリは、底部及び前記底部から延長され溝を形成する側部を含む収納容器と、前記底部に密着される反射部及び前記反射部から延長され前記溝に挿入される固定部を含む反射部材と、前記反射部材上部に配置される光源と、を含む。前記液晶表示パネルは前記バックライトアセンブリから供給される光を用いて画像を表示する。
このようなバックライトアセンブリ及びこれを有する液晶表示装置によると、反射部材組立工程を単純化させることができ、バックライトアセンブリのサイズを減少させることができる。
【発明を実施するための最良の形態】
【０００８】
以下、図面を参照して本発明の望ましい一実施形態をより詳細に説明する。
図１は本発明の一実施形態によるバックライトアセンブリを示す分解斜視図であり、図２は図１に示されたバックライトアセンブリの結合された断面を示す断面図である。
図１及び図２に示すように、本発明の一実施形態によるバックライトアセンブリ１００は、収納容器２００、反射部材３００、光源４００及び拡散板５００を含む。
収納容器２００は底部２１０及び底部２１０の端部位から延長され収納空間を形成する側部２２０で構成される。光源４００の長さ方向と平行な側部２２０は底部２１０から上部方向に垂直に延長された後、収納容器２００の内側方向に屈曲され、溝２３０を形成する。収納容器２００は、一例で、強度が優れ、変形が少ない金属からなる。  
【０００９】
反射部材３００は光源４００の下部及び側部に配置され光源４００から発生された光を反射させる。反射部材３００は、一例で、白色のポリエチレン・テレフタレートＰＥＴ材質からなる。反射部材３００は、収納容器２００の底部２１０に密着される反射部３１０及び反射部３１０から延長され収納容器２００の溝に挿入される固定部３２０を含む。固定部３２０は、反射部３１０から上部方向に延長された後、溝２３０に挿入されることができるように２度にかけて屈曲され、“Ｕ”字形状を有するようになる。このような固定部３２０は反射部３１０の両側に対称的に形成される。反射部材３００は所定厚さを有する樹脂物質からなり、固定部３２０の屈曲に対応して元の状態に復元しようとする弾性力を有する。従って、反射部３１０の両側に形成された固定部３２０をそれぞれ収納容器２００の両側部２２０に形成された溝３２０に挿入すると、前記した弾性力により反射部材３００は収納容器２００の内部に安定的に配置される。
【００１０】
光源４００は反射部材３００の上部に配置され、外部のインバーター(図示せず)から印加される電源に反応して光を発生する。本実施形態において、光源４００は複数のランプ４００からなる。ランプ４００は、一例で、細くて長い円筒形状の冷陰極線管ランプＣＣＦＬからなる。ランプ４００はバックライトアセンブリ１００の輝度均一性のために等間隔に配置されることが望ましく、ランプ４００の個数は要求される輝度特性によって変更できる。
一方、ランプ４００は“Ｕ”字形態に撓まれた形状を有することができる。これとは異なり、光源４００は複数の発光ダイオードＬＥＤからなることができる。
拡散板５００はランプ４００の上部に配置され、ランプ４００から出射される光を拡散させ輝度均一性を向上させる。拡散板５００は所定の厚さを有する四角プレート形状を有し、ランプ４００と一定間隔に離隔されるように配置される。拡散板５００は、一例で、ポリメチル・メタクリレート（ｐｏｌｙ  ｍｅｔｈｙｌ  Ｍｅｔｈａｃｒｙｌａｔｅ：ＰＭＭＡ）材質からなり、内部に光の拡散のための拡散剤を含む。拡散板５００の端部位の中でランプ４００の長さ方向に並んでいる端部位は収納容器２００の側部２２０によって支持される。 
【００１１】
図３は図１に収納容器を具体的に示す斜視図である。図１及び図３に示すように、収納容器２００は底部２１０及び底部２１０の端部位から延長された側部２２０を含む。
側部２２０はランプ４００の長さ方向と並んでいる第１及び第２側部２４０、２５０と、ランプ４００の長さ方向と垂直な第３及び第４側部２６０、２７０と、で区分される。第１側部２４０と第２側部２５０は互いに対称的な構造を有し、第３側部２６０と第４側部２７０は互いに対称的な構造を有する。
第１側部２４０は、底部２１０から上部方向に垂直に延長された側壁２４２、及び側壁２４２から収納容器２００の内側方向に延長された支持部２４４で構成される。支持部２４４は底部２１０と平行に配置される。従って、底部２１０、側壁２４２及び支持部２４４の間には反射部材３２０の固定部３２０を固定するための溝２３０が形成される。支持部２４４の延長長さは固定部３２０を安定的に固定することさえできれば、収納容器２００の外郭サイズを減少させるために小さいほど望ましい。一例で、支持部２４４の延長長さは約５ｍｍ以下に形成される。
【００１２】
第２側部２５０は、第１側部２４０と互いに対称的な構造を有するので、その重複される説明は省略することにする。
図４は図１に示された反射部材を具体的に示す斜視図であり、図５は図４のＩ−Ｉ’線に沿って切断した断面図である。
図３、図４及び図５に示すように、反射部材３００は、収納容器２００の底部２１０に密着される反射部３１０、及び反射部３１０から延長され側部２２０の溝２３０に固定される固定部３２０を含む。固定部３２０は反射部３１０の両側に対称的に形成される。
【００１３】
固定部３２０は、反射部３１０から収納容器２００の支持部２４４方向に延長される第１固定面３２２、第１固定面３２２から延長され支持部２４４に密着される第２固定面３２４、及び第２固定面３２４から収納容器２００の底部２１０まで延長され、収納容器２００の側壁２４２に密着される第３固定面３２６を含む。このとき、第１固定面３２２は反射部３１０と成す内角が鈍角になるように斜めの方向に形成される。
反射部材３００は、反射部３１０と第１固定面３２２とが接する境界に形成された第１グルーブ３３２、第１固定面３２２と第２固定面３２４とが接する境界に形成される第２グルーブ３３４、及び第２固定面３２４と第３固定面３２６とが接する境界に形成された第３グルーブ３３６を有する。第１グルーブ３３２、第２グルーブ３３４及び第３グルーブ３３６は、各固定面が容易に屈曲されるようにする役割を遂行する。
図６は本発明の他の実施形態によるバックライトアセンブリを示す分解斜視図であり、図７は図６に示されたバックライトアセンブリの結合された断面を示す断面図である。
【００１４】
図６及び図７に示すように、本発明の他の実施形態によるバックライトアセンブリ６００は、収納容器２００、反射部材３００、ランプ４００及び拡散板５００を含む。また、バックライトアセンブリ６００は、ランプ４００を固定するためのランプ固定部材６１０及びランプ４００の末端部に配置されるサイドモールド６２０をさらに含む。
収納容器２００は底部２１０に結合孔２１２が形成されたことを除いては図１に示されたのと同一の構造を有するので、同一の参照番号を使用し、その重複される詳細な説明は省略する。収納容器２００の底部２１０にはランプ固定部材６１０との結合のための結合孔２１２が形成される。結合孔２１２は円形態の開口からなり、ランプ固定部材６１０の結合部６１６に対応して形成される。
【００１５】
反射部材３００は反射部３１０に貫通孔３１２が形成されていることを除いては図１に示されたのと同一の構造を有するので、同一の参照番号を使用し、その重複される詳細な説明は省略する。反射部材３００の反射部３１０にはランプ固定部材６１０と収納容器２００との結合のための貫通孔３１２が形成される。貫通孔３１２は結合孔２１２より大きい直径を有する円形態の開口からなり、ランプ固定部材６１０の結合部６１６に対応して形成される。
ランプ４００は反射部材３００の上部に互いに平行に配置される。ランプ４００は一字形状を有するか、“Ｕ”字形態に撓まれた形状を有することができる。ランプ４００はバックライトアセンブリ６００の輝度均一性のために等間隔に配置されることが望ましく、ランプ４００の個数は要求される輝度特性によって変更できる。一方、バックライトアセンブリ６００はランプ４００を固定するためのランプホルダー４１０をさらに含むことができる。ランプ４００の末端部はランプホルダー４１０に挿入されて固定され、ランプホルダー４１０は収納容器２００に結合され固定される。一例で、一つのランプホルダー４１０には互いに隣接する２つのランプ４００が結合される。
【００１６】
拡散板５００は、ランプ４００の上部に配置され、ランプ４００から出射される光を拡散させ輝度均一性を向上させる。拡散板５００は収納容器２００及びサイドモールド６２０によって支持される。即ち、拡散板５００の端部位のうちランプ４００の長さ方向に並んでいる端部位は収納容器２００の側部２２０によって支持され、ランプ４００の長さ方向に垂直な端部位はサイドモールド６２０によって支持される。一方、拡散板５００にはサイドモールド６２０との結合位置をガイドするためのガイド溝５１０が形成されることができる。
ランプ固定部材６１０は収納容器２００の底部２１０に結合されランプ４００を固定する。固定部材６１０は少なくとも一つのランプ固定部６１２、拡散板支持部６１４及び結合部６１６を含む。ランプ固定部６１２はランプ４００の挿入のための一部が開口され、挿入されたランプ４００を固定する。拡散板支持部６１４はランプ固定部６１２よりさらに高い高さに突出され拡散板５００を支持する。結合部６１６はランプ固定部材６１０を底部２１０に固定する。結合部６１６は反射部材３００の貫通孔３１２及び収納容器２００の結合孔２１２を貫通した後、収納容器２００の背面に固定される。ランプ固定部材６１０と収納容器２００との結合によって、反射部材３００がランプ４００の長さ方向に沿って移動することが防止される。
【００１７】
本実施形態において、ランプ固定部材６１０は２つのランプ固定部６１２を有する。２つのランプ固定部６１２は中央に位置した拡散板支持部６１４を基準にして両側にそれぞれ一つずつ配置される。これとは異なり、ランプ固定部材６１０は２つ以上のランプ固定部６１２を有することができる。例えば、ランプ固定部６１２が４つの場合、拡散板支持部６１４を基準にして両側に２つずつのランプ固定部６１２が配置される。
ランプ固定部材６１０はランプ４００の長さ方向に垂直な方向に沿ってジグザグ形態に配置される。ランプ固定部材６１０が一直線上に配置される場合、ランプ固定部材６１０が位置した領域のみ暗く見える暗線などの品質不良が発生し得る。ランプ固定部材６１０が一直線上に配置されないようにジグザグ形態に配置されることが望ましい。
【００１８】
サイドモールド６２０はランプ４００の末端部に対応されて配置され、拡散板５００を支持する。サイドモールド６２０はランプホルダー４１０が外部に露出されないようにカバーしながらランプホルダー４１０を固定する。サイドモールド６２０は、他の領域に比べて輝度が相対的に低いランプ４００の両側末端領域、即ち、ランプ４００の電極が形成された領域を遮蔽し輝度不均一を除去する。また、サイドモールド６２０は上部に配置される拡散板５００を支持しながら拡散板５００の収納位置をガイドする。サイドモールド６２０は、拡散板５００の収納位置をガイドするために突出部６２２を有する。拡散板５００のガイド溝５１０と突出部６２２との結合によって拡散板５００は安定的に固定される。
バックライトアセンブリ６００は拡散板５００の上部に配置される光学シート６３０、拡散板５００及び光学シート６３０の端部位を固定するミドルモールド６４０、及びランプ４００の発光のための電源を供給するインバーター６５０をさらに含む。
【００１９】
光学シート６３０は拡散板５００を経て出射される光の経路を変更させ、光学特性を向上させる。光学シート６３０は拡散板５００を通じて拡散された光を正面方向に集光させ正面輝度を向上させる集光シートを含むことができる。また、光学シート６３０は拡散板５００を通じて拡散された光を再度拡散させ輝度均一性を向上させる拡散シートを含むことができる。一方、バックライトアセンブリ６００の要求される輝度特性によって多様な種類の光学シートを追加したり除去したりすることが可能である。
ミドルモールド６４０は収納容器２００と結合され拡散板５００と光学シート６３０を固定する。ミドルモールド６４０は拡散板５００及び光学シート６３０の上部面の端部位を固定し、収納容器２００の側部２２０と結合される。ミドルモールド６４０は大きさが大きいほど一つの一体型に製作することが難しくなるので、２つまたは４つの切片に分割して形成することができる。
【００２０】
インバーター５５０は、収納容器２００の背面に配置され、ランプ４００を駆動するための電源を供給する。インバーター６５０は外部から入力される低電位の交流電源をランプ４００の駆動に適合した高電位の交流電源に昇圧させて出力する。インバーター６５０から供給された電源はランプワイヤー６５２を通じてそれぞれのランプ４００に印加される。
図８は本発明の一実施形態による液晶表示装置を示す分解斜視図であり、図９は図８に示された液晶表示装置の結合された断面を示す断面図である。
図８及び図９に示すように、本発明の一実施形態による液晶表示装置７００は、バックライトアセンブリ６００、表示ユニット８００及びトップシャーシ９００を含む。
【００２１】
バックライトアセンブリ６００は、図６に示されたのと同一の構造を有するので、同一の参照番号を使用し、その重複される詳細な説明は省略する。一方、バックライトアセンブリ６００は図１に示されたのと同一の構造を有することができる。
表示ユニット８００は、バックライトアセンブリ６００から供給される光を用いて画像を表示する液晶表示パネル８１０、及び液晶表示パネル８１０を駆動するための駆動回路部８２０を含む。
液晶表示パネル８１０は、薄膜トランジスタ（以下、ＴＦＴと称する）基板８１２、ＴＦＴ基板８１２と対向して結合されるカラーフィルター基板８１４、及び前記２つの基板８１２、８１４の間に介在された液晶８１６を含む。
【００２２】
ＴＦＴ基板８１２は、スイッチング素子ＴＦＴ(図示せず)がマトリックス状に形成された透明なガラス基板である。前記ＴＦＴのソース及びゲート端子にはそれぞれデータ及びゲートラインが連結され、ドレイン端子には透明な導電性材質からなる画素電極(図示せず)が連結される。
カラーフィルター基板８１４は、色画素であるＲ、Ｇ、Ｂ画素(図示せず)が薄膜工程によって形成された基板である。カラーフィルター基板８１４には透明な導電性材質からなる共通電極(図示せず)が形成される。
このような構成を有する液晶表示パネル８１０は、前記ＴＦＴ端子に電源が印加されＴＦＴがターンオンされると、画素電極と共通電極との間には電界が形成される。このような電界によってＴＦＴ基板８１２とカラーフィルター基板８１４との間に介在された液晶８１６の配列が変化され、液晶８１６の配列変化によってバックライトアセンブリ６００から供給される光の透過度が変更され所望する階調の画像を表示するようになる。
【００２３】
駆動回路部８２０は、液晶表示パネル８１０にデータ駆動信号を供給するデータ印刷回路基板８２２、液晶表示パネル８１０にゲート駆動信号を供給するゲート印刷回路基板８２４、データ印刷回路基板８２２を液晶表示パネル８１０に連結するデータ可撓性回路フィルム８２６、及びゲート印刷回路基板８２４を液晶表示パネル８１０に連結するゲート可撓性回路フィルム８２８を含む。データ可撓性回路フィルム８２６及びゲート可撓性回路フィルム８２８は、例えば、テープキャリアパッケージＴＣＰまたはチップオンフィルムＣＯＦからなる。
データ印刷回路基板８２２はデータ可撓性回路フィルム８２６の折曲によって収納容器２００の側面または背面に配置され、ゲート印刷回路基板８２４はゲート可撓性回路フィルム８２８の折曲によって収納容器２００の側面または背面に配置される。一方、ゲート印刷回路基板８２４は液晶表示パネル８１０及びゲート可撓性回路フィルム８２８に別途の信号配線を形成することによって、除去されることができる。
トップシャーシ９００は液晶表示パネル８１０の端部位を取り囲み収納容器２００に結合されて液晶表示パネル８１０をバックライトアセンブリ６００の上部に固定する。トップシャーシ９００は外部衝撃による液晶表示パネル８１０の破損を防止し、液晶表示パネル８１０がバックライトアセンブリ６００から離脱されることを防止する。トップシャーシ９００は、一例で、変形が少なく強度が優れた金属からなる。
【００２４】
このようなバックライトアセンブリ及びこれを有する液晶表示装置によると、反射部材を収納容器に固定するために両面テープを付着する工程を除去し反射部材の組立工程を単純化させることができ、反射部材の平坦度を向上させることができる。
また、収納容器の側部のサイズが減少されバックライトアセンブリの外郭サイズを減少させることができる。
以上、本発明の実施形態によって詳細に説明したが、本発明はこれに限定されず、本発明が属する技術分野において通常の知識を有する者であれば、本発明の思想と精神を離れることなく、本発明を修正または変更できる。
【図面の簡単な説明】
【００２５】
【図１】本発明の一実施形態によるバックライトアセンブリを示す分解斜視図である。
【図２】図１に示されたバックライトアセンブリの結合された断面を示す断面図である。
【図３】図１に示された収納容器を具体的に示す斜視図である。
【図４】図１に示された反射部材を具体的に示す斜視図である。
【図５】図４のＩ−Ｉ’線に沿って切断した断面図である。
【図６】本発明の他の実施形態によるバックライトアセンブリを示す分解斜視図である。
【図７】図６に示されたバックライトアセンブリの結合された断面を示す断面図である。
【図８】本発明の一実施形態による液晶表示装置を示す分解斜視図である。
【図９】図８に示された液晶表示装置の結合された断面を示す断面図である。
【符号の説明】
【００２６】
１００      バックライトアセンブリ
２００      収納容器
２１０      底部
２２０      側部
２３０      溝
３００      反射部材
３１０      反射部
３２０      固定部
４００      ランプ
５００      拡散板
６１０      ランプ固定部材
６１２      ランプ固定部
６１４      拡散板支持部
６１６      結合部
６２０      サイドモールド
６３０      光学シート
６４０      ミドルモールド
６５０      インバーター
７００      液晶表示装置
８００      表示ユニット
８１０      液晶表示パネル
８２０      駆動回路部
９００      トップシャーシ
【図１】
2006146126.tif 000003
【図２】
2006146126.tif 000004
【図３】
2006146126.tif 000005
【図４】
2006146126.tif 000006
【図５】
2006146126.tif 000007
【図６】
2006146126.tif 000008
【図７】
2006146126.tif 000009
【図８】
2006146126.tif 000010
【図９】
2006146126.tif 000011